(57)【要約】【課題】フォトラリーを行いながら、デザインテンプレートを完成させていくことができる撮影編集プログラム、携帯端末、及び撮影編集システムを提供する。【解決手段】本実施形態による撮影編集プログラムは、複数の画像挿入領域を含むテンプレートを表示部に表示させるステップと、各画像挿入領域に挿入される画像の撮影条件を満たすか否か判定するステップと、前記撮影条件を満たす画像挿入領域がある場合、内蔵カメラ又は外部カメラで撮影された画像を、この画像挿入領域に挿入して、前記テンプレートを編集するステップと、をコンピュータに実行させるものである。【選択図】図８
2019021961.tif 000002
【特許請求の範囲】
【請求項１】
複数の画像挿入領域を含むテンプレートを表示部に表示させるステップと、
各画像挿入領域に挿入される画像の撮影条件を満たすか否か判定するステップと、
前記撮影条件を満たす画像挿入領域がある場合、内蔵カメラ又は外部カメラで撮影された画像を、この画像挿入領域に挿入して、前記テンプレートを編集するステップと、
をコンピュータに実行させる撮影編集プログラム。
【請求項２】
前記撮影条件は、撮影場所及び撮影日時の少なくともいずれか一方を含むことを特徴とする請求項１に記載の撮影編集プログラム。
【請求項３】
ＧＰＳ機能に基づき算出された位置情報が所定の範囲内にあるか、又は所定の識別情報を含む電波を受信した場合、前記撮影場所の条件を満たすと判定することを特徴とする請求項２に記載の撮影編集プログラム。
【請求項４】
前記複数の画像挿入領域の前記撮影条件に含まれる撮影場所を所定の順序で案内する案内画面を前記表示部に表示させることを特徴とする請求項１乃至３のいずれかに記載の撮影編集プログラム。
【請求項５】
複数の画像挿入領域を含むテンプレートのデザイン情報、及び各画像挿入領域に挿入される画像の撮影条件を含むテンプレートデータを記憶する記憶部と、
撮影処理を行う撮影部と、
前記テンプレートを表示する表示部と、
各画像挿入領域に挿入される画像の撮影条件を満たすか否か判定し、前記撮影条件を満たす画像挿入領域がある場合、前記撮影部又は外部カメラで撮影された画像を、この画像挿入領域に挿入して前記テンプレートを編集する制御部と、
を備える携帯端末。
【請求項６】
撮影処理を行う外部カメラと、
前記外部カメラで撮影された画像を取得する請求項５に記載の携帯端末と、
を備える撮影編集システム。
【発明の詳細な説明】
【技術分野】
【０００１】
本発明は、撮影編集プログラム、携帯端末、及び撮影編集システムに関する。
【背景技術】
【０００２】
従来、スタンプラリーやフォトラリーといったラリーゲームが開催され、多数の参加者を集めている。ラリーゲームでは複数のチェックポイントが設定され、クリアしたチェックポイントの数に応じて、参加者に特典が与えられる場合もあった。
【０００３】
例えば、特許文献１には、ユーザがデジタルカメラでチェックポイントを撮影し、撮影写真をサーバへ送信し、サーバ側で撮影写真をプリントし、プリントされた写真に対応するチェックポイントの数に応じた景品がユーザに提供されるシステムが記載されている。このようなラリーゲームにおいては、常に新たな楽しみ方が求められている。
【０００４】
近年、スマートフォンの普及に伴い、撮影の機会が増加している。また、撮影した写真を利用してポスターやフォトブックを作製するサービスが広がっている。フォトブックを作製する場合、ユーザは、端末内に保存されている多数の撮影画像の中から所定数の画像を選択し、テンプレート内に配置する編集作業を行う。しかし、端末内の画像の中からフォトブックに入れたい画像を選択することや、画像の配置順や配置場所を考えることが手間であるという問題があった。
【先行技術文献】
【特許文献】
【０００５】
【特許文献１】特開２００５−１８９９０５号公報
【発明の概要】
【発明が解決しようとする課題】
【０００６】
本発明は、上記従来の実状に鑑みてなされたものであり、テンプレートの条件に従い写真を撮影することで、撮影と編集を同時に行い、テンプレートを完成させていくことができる撮影編集プログラム、携帯端末、及び撮影編集システムを提供することを課題とする。
【課題を解決するための手段】
【０００７】
本発明による撮影編集プログラムは、複数の画像挿入領域を含むテンプレートを表示部に表示させるステップと、各画像挿入領域に挿入される画像の撮影条件を満たすか否か判定するステップと、前記撮影条件を満たす画像挿入領域がある場合、内蔵カメラ又は外部カメラで撮影された画像を、この画像挿入領域に挿入して、前記テンプレートを編集するステップと、をコンピュータに実行させるものである。
【０００８】
本発明の一態様による撮影編集プログラムにおいて、前記撮影条件は、撮影場所及び撮影日時の少なくともいずれか一方を含む。
【０００９】
本発明の一態様による撮影編集プログラムは、ＧＰＳ機能に基づき算出された位置情報が所定の範囲内にあるか、又は所定の識別情報を含む電波を受信した場合、前記撮影場所の条件を満たすと判定する。
【００１０】
本発明の一態様による撮影編集プログラムは、前記複数の画像挿入領域の前記撮影条件に含まれる撮影場所を所定の順序で案内する案内画面を前記表示部に表示させる。
【００１１】
本発明による携帯端末は、複数の画像挿入領域を含むテンプレートのデザイン情報、及び各画像挿入領域に挿入される画像の撮影条件を含むテンプレートデータを記憶する記憶部と、撮影処理を行う撮影部と、前記テンプレートを表示する表示部と、各画像挿入領域に挿入される画像の撮影条件を満たすか否か判定し、前記撮影条件を満たす画像挿入領域がある場合、前記撮影部又は外部カメラで撮影された画像を、この画像挿入領域に挿入して前記テンプレートを編集する制御部と、を備えるものである。
【００１２】
本発明による撮影編集システムは、撮影処理を行う外部カメラと、前記外部カメラで撮影された画像を取得する本発明の携帯端末と、を備えるものである。
【発明の効果】
【００１３】
本発明によれば、テンプレートの条件に従い写真を撮影することで、楽しみながら撮影と編集を同時に行い、テンプレートを完成させることができる。撮影と編集という従来２つに分かれていた作業をまとめて行うことで、写真編集の手間を軽減することができる。また、コラージュプリントの作成、フォトブックの作成、ラリーゲームなど新しい楽しみ方を利用者に提供することができる。
【図面の簡単な説明】
【００１４】
【図１】本発明の実施形態によるデザインテンプレートの表示例を示す図である。
【図２】（ａ）〜（ｃ）はフォトラリーのチェックポイントでの撮影方法の例を示す図である。
【図３】デザインテンプレートの表示例を示す図である。
【図４】デザインテンプレートの表示例を示す図である。
【図５】チェックポイントの案内画面の例を示す図である。
【図６】携帯端末のハードウェア構成図である。
【図７】撮影編集プログラムの実行により実現される機能ブロック図である。
【図８】同実施形態による撮影処理の流れを説明するフローチャートである。
【図９】テンプレートのデータ構成の例を示す図である。
【発明を実施するための形態】
【００１５】
本発明の実施形態では、１つ又は複数の画像挿入領域を含むデザインテンプレートを、利用者が所有するスマートフォンやタブレット機器等の携帯端末（以下「ユーザ端末」という）に配信する。このデザインテンプレート（以下「テンプレート」という）は、フォトラリーを行うためのものであり、各画像挿入領域には、撮影場所（チェックポイント）が予め定められており、所定の撮影場所で撮影を行うと、撮影画像が挿入（合成）されるようになっている。複数の撮影場所を巡り、各撮影場所で撮影を行い、画像を挿入していくことで、フォトラリーを楽しみながら、テンプレートを編集、完成させることができる。また、完成したテンプレートを用いて、フォトブックや写真などの注文を行うことができる。
【００１６】
図１はユーザ端末１の表示部（タッチパネルＰ）に表示したテンプレートＴの例を示す。テンプレートＴは、複数の画像挿入領域３ａ〜３ｅを有する。画像挿入領域３ａ〜３ｅは、それぞれ、特定の撮影場所で撮影した画像だけが挿入可能になっている。また、画像挿入領域３ａ〜３ｅには、撮影場所だけでなく、撮影日時等の他の条件が設定されていてもよい。
【００１７】
例えば、画像挿入領域３ａは、図２（ａ）に示すように、チェックポイントＡで撮影した画像が挿入される。チェックポイントＡへの接近は、ＧＰＳ（Ｇｌｏｂａｌ  Ｐｏｓｉｔｉｏｎｉｎｇ  Ｓｙｓｔｅｍ））による位置情報に基づいて判断される。ユーザ端末１のＧＰＳ機能により検出されたユーザの位置が、所定の範囲内に入ると、図３に示すように、画像挿入領域３ａに撮影可能マークＭが表示される。
【００１８】
ユーザが撮影可能マークＭを押すと、ユーザ端末１に内蔵されているカメラが起動し、撮影が行えるようになる。図２（ａ）では、カメラ支持棒６の先端部にユーザ端末１を搭載し、ユーザが自らを撮影している。
【００１９】
撮影を行うと、図４に示すように、画像挿入領域３ａに撮影画像が挿入される。
【００２０】
図２（ｂ）はチェックポイントＢでの撮影例を示す。例えば、チェックポイントＢではタワー状の筐体７の上部に、デジタルカメラ等のカメラ４（外部カメラ）が設けられている。また、筐体７には、信号を発信する発信機２と、ユーザ端末１と通信を行うと共に、カメラ４の制御を行うコンピュータ５とが設けられている。
【００２１】
発信機２には固有の識別情報が割り当てられている。発信機２は、識別情報を含む信号を、所定の電波強度で送信し続けている。発信機２は例えばビーコン端末を用いることができ、ビーコン端末に設定されているＭＡＣアドレスや各種ビーコンＩＤ（ＵＵＩＤ、ＭＡＪＯＲ値、ＭＩＮＯＲ値）などを識別情報として送信する。
【００２２】
ユーザ端末１は、発信機２との間の距離が近付き、発信機２からの信号（ビーコン）を受信すると、信号に含まれる識別情報に基づいて、画像挿入領域３ｂに撮影可能マークを表示する。
【００２３】
ユーザが撮影可能マークを押すと、ユーザ端末１はコンピュータ５と通信を行い、カメラ４の撮影画像を取得してタッチパネルＰに表示すると共に、シャッター制御を行うことができるようになる。ユーザはタッチパネルＰの表示画像から立ち位置を確認し、シャッター操作を行う。カメラ４による撮影処理が行われ、撮影画像がユーザ端末１へ転送される。転送された撮影画像は、画像挿入領域３ｂに挿入される。
【００２４】
図２（ｃ）はチェックポイントＣでの撮影例を示す。例えば、チェックポイントＣでは筐体７の上面にカメラ４が設けられている。また、筐体７には、信号を発信する発信機２と、ユーザ端末１と通信を行うと共に、カメラ４の制御を行うコンピュータ５と、カメラ４のシャッター操作を行うためのボタン６とが設けられている。
【００２５】
ユーザ端末１は、発信機２との間の距離が近付き、発信機２からの信号を受信すると、信号に含まれる識別情報から、画像挿入領域３ｃに対応する発信機２からの信号であると判断する。画像挿入領域３ｃに撮影日時条件が設定されている場合は、現在日時が、撮影日時条件を満たすか否か判定する。撮影日時条件を満たす場合、画像挿入領域３ｃに撮影可能マークが表示される。
【００２６】
ユーザが撮影可能マークを押すと、ユーザ端末１はコンピュータ５と通信を行い、カメラ４の撮影画像を取得してタッチパネルＰに表示する。ユーザはタッチパネルＰの表示画像から立ち位置や写り具合を確認し、ボタン６を押す。ボタン６を押すことでカメラ４による撮影処理が行われ、撮影画像がユーザ端末１へ転送される。転送された撮影画像は画像挿入領域３ｃに挿入される。
【００２７】
図１に示すマップボタンｂ１を押すと、図５に示すように、ユーザ端末１に、チェックポイント（撮影場所）を示すマップが表示される。表示されているチェックポイントを選択することで、現在地からチェックポイントまでのルート（歩行経路や列車の乗り換え）案内が表示されるようにしてもよい。
【００２８】
また、テンプレートＴの空白の（未だ画像を挿入していない）画像挿入領域を選択すると、対応するチェックポイントまで誘導する案内画面が表示されるようにしてもよい。
【００２９】
テンプレートＴの全て（又は所定数以上）の画像挿入領域に撮影画像が挿入されると、このテンプレートＴをプリントしたフォトブックやポスター等の印画物を注文することができる。また、全て（又は所定数以上）の撮影画像が挿入されたテンプレートＴを、所定のカウンターで提示することで、特典の景品が受け取れるようにしてもよい。
【００３０】
このように、本実施形態によれば、フォトラリーを行いながら、チェックポイントで撮影した画像をテンプレートＴに挿入し、テンプレートＴを完成させていくという、ラリーゲームの新しい楽しみ方をユーザに提供することができる。
【００３１】
また、例えば、旅行先の観光地でこのフォトラリーを実施する場合、観光スポット（チェックポイント）を巡っていくことでテンプレートが埋まり、旅行の思い出となるフォトブックの注文や写真プリントの注文を容易に行うことができる。
【００３２】
従来のフォトブック作製では、イベント（例えば旅行）が終わった後、大量の撮影画像から気に入った画像を選択する手間があった。また、デザイン、ページ数、レイアウトの編集等にも時間がかかっていた。多忙によりフォトブック作製のための時間が取れない場合、フォトブック未作製のままイベントから時間が経過し、フォトブック作製のモチベーションが低下することがあった。
【００３３】
これに対し、本実施形態では、イベント中に撮影画像がテンプレートに挿入されていき、イベント終了時にはテンプレートが完成し、フォトブックの注文を行うだけでよい。そのため、フォトブックの作製が容易であり、作製を忘れることを防止できる。
【００３４】
図６はユーザ端末１のハードウェア構成例を示す。ユーザ端末１は、ＣＰＵ１０（演算制御部）、記憶部１１、表示部１２、操作部１３、撮影部１４、ＧＰＳ受信部１５、及び通信部１６を有する。
【００３５】
記憶部１１は、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）等の組み合わせであり、撮影編集プログラム、テンプレートデータ、及び撮影画像を記憶する。
【００３６】
表示部１２は、各種情報を表示するものであり、例えば液晶ディスプレイを用いることができる。操作部１３は、ユーザからの操作を受け付けるものであり、例えばキーボードを用いることができる。本実施形態では、表示部１２及び操作部１３の機能を有するタッチパネルＰが設けられている。
【００３７】
撮影部１４は、ユーザ端末１に内蔵されているデジタルカメラであり、ＣＣＤ（Charged  coupled  devices）センサや、ＣＭＯＳ（Complementary  metal-oxide-semiconductor）センサを用いたものである。
【００３８】
ＧＰＳ受信部１５は、ＧＰＳ衛星から発せられる電波を受信し、ＧＰＳ情報に基づいて、ユーザ端末１が存在する現在地の位置情報（緯度及び経度）を取得する。
【００３９】
通信部１６は、インターネット等を介して、フォトラリーのサービス提供者のサーバ（図示略）と通信を行い、撮影編集プログラムやテンプレートデータを取得する。
【００４０】
通信部１６は、発信機２から送信される信号を受信する機能を有する。また、通信部１６は、コンピュータ５等の外部機器と通信を行うことができる。
【００４１】
ＣＰＵ１０が撮影編集プログラムを実行することで、図７に示すように、表示処理部１０１、条件判定部１０２、撮影処理部１０３、外部カメラ制御部１０４、合成部１０５、及び注文処理部１０６が実現される。表示処理部１０１、条件判定部１０２、撮影処理部１０３、外部カメラ制御部１０４、合成部１０５、及び注文処理部１０６における処理を、図８に示すフローチャートに沿って説明する。
【００４２】
表示処理部１０１は、テンプレートデータを用いて、テンプレートＴをタッチパネルＰに表示する（ステップＳ１）。
【００４３】
テンプレートデータは、テンプレートのデザイン情報や、図９に示すような、各画像挿入領域に挿入される画像の撮影条件、撮影に使用する撮影機器情報等が定義されている。例えば、画像挿入領域３ａについては、撮影場所（チェックポイントＡ）の位置情報や、撮影に内蔵カメラを用いることが定義されている。また、画像挿入領域３ｃについては、撮影場所（チェックポイントＣ）に設けられた発信機２からの信号に含まれる識別情報、撮影可能時間や、撮影に外部カメラを用いることが定義されている。
【００４４】
条件判定部１０２は、ＧＰＳ受信部１５が取得した位置情報、通信部１６が発信機２から受信した信号に含まれる識別情報、現在時刻等と、テンプレートデータに定義される各画像挿入領域の撮影条件とを比較・判定する（ステップＳ２）。撮影条件を満たす画像挿入領域がある場合（ステップＳ３＿Ｙｅｓ）、表示処理部１０１は、この画像挿入領域に撮影可能マークＭ（図３参照）を表示する（ステップＳ４）。
【００４５】
ユーザ端末１は、撮影可能マークＭを表示すると共に、報知音を出力したり、バイブレーション機能を用いて端末を振動させたりしてもよい。
【００４６】
ユーザにより撮影可能マークＭが押されて撮影指示を受け付けると（ステップＳ５＿Ｙｅｓ）、撮影処理部１０３はテンプレートデータの撮影機器情報を確認する。内蔵カメラを使用する場合（ステップＳ６＿Ｙｅｓ）、撮影処理部１０３は撮影部１４を起動する（ステップＳ７）。ユーザがシャッター操作を行うことで撮影が行われ、撮影画像が生成される（ステップＳ８）。
【００４７】
外部カメラを使用する場合（ステップＳ６＿Ｎｏ）、外部カメラ制御部１０４は通信部１６を介してコンピュータ５（又はカメラ４）と通信し（ステップＳ９）、画像を取得すし、タッチパネルＰに表示する。ユーザは、タッチパネルＰの表示画像から、カメラ４でどのように映っているかを確認することができる。
【００４８】
ユーザがシャッター操作を行うことで、カメラ４がユーザを撮影する（ステップＳ１０）。シャッター操作はユーザ端末１を用いて行ってもよいし、ボタン６（図２（ｃ）参照）を用いてもよい。外部カメラ制御部１０４は、通信部１６を介して、カメラ４で撮影された撮影画像を受信する（ステップＳ１１）。
【００４９】
合成部１０５は、内蔵カメラ（撮影部１４）又は外部カメラ（カメラ４）で撮影された撮影画像を、テンプレートＴの画像挿入領域に挿入して合成する（ステップＳ１２）。再撮影を行い（ステップＳ１３＿Ｙｅｓ）、テンプレートＴに合成する画像を変更してもよい。
【００５０】
テンプレートＴの全ての画像挿入領域に撮影画像を挿入し、テンプレートＴを完成させると（ステップＳ１４＿Ｙｅｓ）、フォトブックの注文を行えるようになる。注文処理部１０６は、フォトブックの注文受付処理を行い、必要に応じて課金処理を行い、注文情報をサービス提供者サーバへ送信する（ステップＳ１５）。後日、作製されたフォトブックが注文者の元へ配送される。フォトブック注文だけでなくフォト注文を行えるようにしてもよい。フォト注文を行った場合は、Ｌサイズや２Ｌサイズ等で出力された写真が、後日配送される。
【００５１】
本実施形態では、撮影場所や撮影時刻等の撮影条件が満たされると、テンプレートに挿入される画像が撮影可能となる。全てのチェックポイントを巡り、ユーザ端末１の内蔵カメラや、外部カメラ４で撮影を行うと、テンプレートが完成し、フォトブックの注文を行うことができる。
【００５２】
フォトラリーは、観光スポットを巡るものに限定されず、鉄道の駅を巡るものでもよく、遊園地やテーマパーク内のチェックポイントを巡るものでもよい。撮影条件として撮影可能時間を設定できるため、営業時間外に駅構内や遊園地敷地内へ進入して撮影を行うことを抑止できる。
【００５３】
上記実施形態では、撮影条件として撮影可能時間（時刻）が定義される例について説明したが、撮影時間だけでなく、撮影日を定義してもよい。例えば４月１日〜４月４日の春休みイベント中のみ編集操作（撮影及び画像挿入）を可能とすることができる。テンプレートデータでは、撮影条件として、撮影場所、撮影時間（時刻）、撮影日の少なくともいずれか１つを設定することができる。
【００５４】
また、修学旅行期間のみ編集操作が可能な修学旅行用のテンプレートを提供してもよい。学校側がチェックポイント（観光スポット）を指定し、生徒はチェックポイントを巡りながら撮影画像を挿入し、テンプレートを完成させる。各画像挿入領域は、ユーザ端末内の記憶部１１に保存した画像データの使用（挿入）可否を設定できるため、生徒が自分達で撮影した画像を自由に挿入できる画像挿入領域があってもよい。すなわち、撮影場所や撮影日時等の撮影条件が設定されていない画像挿入領域があってもよい。
【００５５】
ＧＰＳによる位置情報を用いて、所定の順序で撮影場所を巡るようにルート表示してもよい。例えば、画像挿入領域３ａの撮影場所（チェックポイントＡ）で撮影を行い、撮影画像を挿入すると、画像挿入領域３ｂの撮影場所（チェックポイントＢ）までのルートを表示して、利用者を誘導することができる。
【００５６】
テンプレートＴを埋めきれなかった場合、又は天候が悪く所望の風景が撮影できなかった場合、サービス提供者から提供される画像（例えば好天時の風景画像）を挿入できるようにしてもよい。
【００５７】
チェックポイントである飲食店で食事をして、写真を撮影すると、撮影画像がテンプレート内の画像挿入領域に挿入されると共に、飲食店のＳＮＳ公式アカウントに投稿されるようにしてもよい。
【００５８】
チェックポイントでは、外部カメラ４とユーザ端末１とを有線接続してもよい。
【００５９】
上述した実施形態で説明した撮影編集プログラムをＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。また、撮影編集プログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６１】
１  ユーザ端末
２  発信機
４  外部カメラ
５  コンピュータ
６  ボタン
【図１】
2019021961.tif 000003
【図２】
2019021961.tif 000004
【図３】
2019021961.tif 000005
【図４】
2019021961.tif 000006
【図５】
2019021961.tif 000007
【図６】
2019021961.tif 000008
【図７】
2019021961.tif 000009
【図８】
2019021961.tif 000010
【図９】
2019021961.tif 000011